(57)【要約】【課題】外部オーディオ機器の接続の有無を確実に検出する「オーディオ装置」を提供する。【解決手段】ＡＵＸ端子２のＲ接点に印加された右チャネルオーディオ信号はＡＣカップリング用のコンデンサＣ１３、抵抗Ｒ２２を介して、バイアス電圧が加えられているオペアンプＵ２２の＋入力に接続される。制御部１０は、短時間、トランジスタＱ３１で、オペアンプＵ２２の＋入力を抵抗Ｒ３１を介してグランドに接続し、コンパレータＵ３１で、コンデンサＣ１３と抵抗Ｒ２２の間のポイントが所定電位まで減少するかどうかを検出し、減少した場合に、ＡＵＸ端子２に外部オーディオ機器が接続されていないと判定する。【選択図】図２
2019134222.tif 000002
【特許請求の範囲】
【請求項１】
外部オーディオ機器を接続可能な外部入力端子を備えたオーディオ装置であって、
インタフェース回路と、
接続検出ブロックと、
接続検出処理手段とを有し、
前記インタフェース回路は、
前記外部入力端子に前記外部オーディオ機器から入力したオーディオ信号が第１端に印加されるＡＣカップリング用の第１のコンデンサと、前記第１のコンデンサの第２端に第１端が接続した第１の抵抗と、前記第１の抵抗の第２端を入力に接続した増幅器と、前記第１の抵抗の第２端に所定のバイアス電圧を加えるバイアス電圧印加回路を備え、
前記接続検出ブロックは、第２の抵抗と、オン状態において、前記第１の抵抗の第２端を前記第２の抵抗を介してグランドに接続し、オフ状態において当該グランドへの接続を断つスイッチ回路と、前記第１の抵抗の第１端の電位と、所定の電位とを比較するコンパレータとを有し、
前記接続検出処理手段は、オフ状態にある前記スイッチ回路を所定期間オン状態に遷移させると共に、当該オン状態に遷移させた直後の時点の前記コンパレータの比較結果が、前記第１の抵抗の第１端の電位が前記所定の電位より大きいことを表している場合に、前記外部入力端子に外部オーディオ機器が接続されていると判定し、前記第１の抵抗の第１端の電位が前記所定の電位より大きくないことを表している場合に、前記外部入力端子に外部オーディオ機器が接続されていないと判定する接続検出処理を行うことを特徴とするオーディオ装置。
【請求項２】
請求項１記載のオーディオ装置であって、
前記インタフェース回路は、前記外部入力端子に前記外部オーディオ機器から入力した接地電位信号が第１端に印加されるＡＣカップリング用の第２のコンデンサと、前記第２のコンデンサの第２端に第１端が接続した第３の抵抗とを有し、
前記増幅器は、第１の入力と第２の入力を備え、前記第１の入力の第２の入力に対する差分を増幅し、
前記第１の抵抗の第２端が接続される前記増幅器の入力は前記第１の入力であり、前記増幅器の前記第２の入力には、前記第３の抵抗の第２端が接続されていることを特徴とするオーディオ装置。
【請求項３】
請求項１または２記載のオーディオ装置であって、
前記外部入力端子には、当該外部入力端子に前記外部オーディオ機器が接続されているときに左チャネルオーディオ信号と右チャネルオーディオ信号が入力し、
当該オーディオ装置は、前記インタフェース回路として、左チャネル用のインタフェース回路と、右チャネル用のインタフェース回路とを備え、前記左チャネル用のインタフェース回路の前記第１のコンデンサの第１端に印加されるオーディオ信号は、前記外部入力端子に前記外部オーディオ機器から入力した左チャネルオーディオ信号であり、前記右チャネル用のインタフェース回路の前記第１のコンデンサの第１端に印加されるオーディオ信号は、前記外部入力端子に前記外部オーディオ機器から入力した右チャネルオーディオ信号であり、
当該オーディオ装置は、前記接続検出ブロックとして、左チャネル用の接続検出ブロックと、右チャネル用の接続検出ブロックとを備え、左チャネル用の接続検出ブロックのスイッチ回路は、オン状態において、前記左チャネル用のインタフェース回路の前記第１の抵抗の第２端を当該左チャネル用の接続検出ブロックの第２の抵抗を介してグランドに接続し、オフ状態において当該グランドへの接続を断ち、左チャネル用の接続検出ブロックの前記コンパレータは、前記左チャネル用のインタフェース回路の前記第１の抵抗の第１端の電位と、所定の電位とを比較し、右チャネル用の接続検出ブロックのスイッチ回路は、オン状態において、前記右チャネル用のインタフェース回路の前記第１の抵抗の第２端を当該右チャネル用の接続検出ブロックの第２の抵抗を介してグランドに接続し、オフ状態において当該グランドへの接続を断ち、右チャネル用の接続検出ブロックの前記コンパレータは、前記右チャネル用のインタフェース回路の前記第１の抵抗の第１端の電位と、所定の電位とを比較し、
前記接続検出処理手段は、前記左チャネル用の接続検出ブロックと、右チャネル用の接続検出ブロックとのそれぞれについて、前記接続検出処理を行うことを特徴とするオーディオ装置。
【請求項４】
請求項１、２または３記載のオーディオ装置であって、
前記外部入力端子は、ステレオミニプラグ用のジャック、または、ステレオ標準プラグ用のジャックであることを特徴とするオーディオ装置。
【発明の詳細な説明】
【技術分野】
【０００１】
本発明は、オーディオ装置において外部オーディオ機器の接続を検出する技術に関するものである。
【背景技術】
【０００２】
オーディオ装置において外部オーディオ機器の接続を検出する技術としては、オーディオ装置が備える外部オーディオ機器接続用のジャックに、当該ジャックに挿入されたプラグによって押し込まれてオン状態となるスイッチを設け、当該スイッチの状態に応じて外部オーディオ機器の接続の有無を検出する技術が知られている（たとえば、特許文献１）。
【先行技術文献】
【特許文献】
【０００３】
【特許文献１】特開２００８-２０５６２８号公報
【発明の概要】
【発明が解決しようとする課題】
【０００４】
上述した外部オーディオ機器接続用のジャックに挿入されたプラグによって押し込まれてオン状態となるスイッチの状態に応じて外部オーディオ機器の接続の有無を検出する技術によれば、ジャックに、外部オーディオ機器に接続されていないケーブルのプラグが挿入されている場合でもスイッチがオン状態となって外部オーディオ機器の接続を検出してしまうこととなる。
【０００５】
そして、このために、この技術では、実際に外部オーディオ機器が接続されていない状態において、外部オーディオ機器の接続を誤検出してしまうことがある。
なお、オーディオ装置のジャックに外部オーディオ機器に接続されていないケーブルのプラグが挿入されている状態は、たとえば、ユーザが、オーディオ装置に中継ケーブルを常時接続しておき、外部オーディオ機器を使用するときだけ、外部オーディオ機器を中継ケーブルに接続する場合等に発生する。
【０００６】
そこで、本発明は、オーディオ装置において外部オーディオ機器の接続の有無を、より確実に検出することを課題とする
【課題を解決するための手段】
【０００７】
前記課題達成のために、本発明は、外部オーディオ機器を接続可能な外部入力端子を備えたオーディオ装置に、インタフェース回路と、接続検出ブロックと、接続検出処理手段とを備えたものである。ここで、前記インタフェース回路は、前記外部入力端子に前記外部オーディオ機器から入力したオーディオ信号が第１端に印加されるＡＣカップリング用の第１のコンデンサと、前記第１のコンデンサの第２端に第１端が接続した第１の抵抗と、前記第１の抵抗の第２端を入力に接続した増幅器と、前記第１の抵抗の第２端に所定のバイアス電圧を加えるバイアス電圧印加回路を備えている。また、前記接続検出ブロックは、第２の抵抗と、オン状態において、前記第１の抵抗の第２端を前記第２の抵抗を介してグランドに接続し、オフ状態において当該グランドへの接続を断つスイッチ回路と、前記第１の抵抗の第１端の電位と、所定の電位とを比較するコンパレータとを備えている。そして、前記接続検出処理手段は、オフ状態にある前記スイッチ回路を所定期間オン状態に遷移させると共に、当該オン状態に遷移させた直後の時点の前記コンパレータの比較結果が、前記第１の抵抗の第１端の電位が前記所定の電位より大きいことを表している場合に、前記外部入力端子に外部オーディオ機器が接続されていると判定し、前記第１の抵抗の第１端の電位が前記所定の電位より大きくないことを表している場合に、前記外部入力端子に外部オーディオ機器が接続されていないと判定する接続検出処理を行う。
【０００８】
ここで、このようなオーディオ装置は、前記インタフェース回路に、前記外部入力端子に前記外部オーディオ機器から入力した接地電位信号が第１端に印加されるＡＣカップリング用の第２のコンデンサと、前記第２のコンデンサの第２端に第１端が接続した第３の抵抗とを設けるようにしてもよい。ただし、前記増幅器は、第１の入力と第２の入力を備え、前記第１の入力の第２の入力に対する差分を増幅するものとし、前記第１の抵抗の第２端が接続される前記増幅器の入力は前記第１の入力とし、前記増幅器の前記第２の入力には、前記第３の抵抗の第２端が接続する。
【０００９】
また、以上のオーディオ装置は、前記外部入力端子を、当該外部入力端子に前記外部オーディオ機器が接続されているときに左チャネルオーディオ信号と右チャネルオーディオ信号が入力するものとし、当該オーディオ装置を、前記インタフェース回路として、左チャネル用のインタフェース回路と、右チャネル用のインタフェース回路とを備えたものしてもよい。ただしこの場合には、前記左チャネル用のインタフェース回路の前記第１のコンデンサの第１端に印加されるオーディオ信号を、前記外部入力端子に前記外部オーディオ機器から入力した左チャネルオーディオ信号とし、前記右チャネル用のインタフェース回路の前記第１のコンデンサの第１端に印加されるオーディオ信号を、前記外部入力端子に前記外部オーディオ機器から入力した右チャネルオーディオ信号としてもよい。また、この場合には、当該オーディオ装置に、前記接続検出ブロックとして、左チャネル用の接続検出ブロックと、右チャネル用の接続検出ブロックとを備えるようにしてもよい。ただし、左チャネル用の接続検出ブロックのスイッチ回路は、オン状態において、前記左チャネル用のインタフェース回路の前記第１の抵抗の第２端を当該左チャネル用の接続検出ブロックの第２の抵抗を介してグランドに接続し、オフ状態において当該グランドへの接続を断つものとし、左チャネル用の接続検出ブロックの前記コンパレータは、前記左チャネル用のインタフェース回路の前記第１の抵抗の第１端の電位と、所定の電位とを比較するものとし、右チャネル用の接続検出ブロックのスイッチ回路は、オン状態において、前記右チャネル用のインタフェース回路の前記第１の抵抗の第２端を当該右チャネル用の接続検出ブロックの第２の抵抗を介してグランドに接続し、オフ状態において当該グランドへの接続を断つものとし、右チャネル用の接続検出ブロックの前記コンパレータは、前記右チャネル用のインタフェース回路の前記第１の抵抗の第１端の電位と、所定の電位とを比較するものとする。また、この場合には、前記接続検出処理手段において、前記左チャネル用の接続検出ブロックと、右チャネル用の接続検出ブロックとのそれぞれについて、前記接続検出処理を行うようにする。
【００１０】
また、以上のオーディオ装置において、前記外部入力端子は、ステレオミニプラグ用のジャック、または、ステレオ標準プラグ用のジャックであってよい。
以上のようなオーディオ装置によれば、外部入力端子に外部オーディオ機器が電気的に接続されていることを直接検出することができるので、外部入力端子への物理的な接続の有無から外部入力端子への外部オーディオ機器の有無を検出する場合に比べ、外部入力端子への外部オーディオ機器の有無を、より確実に検出することができるようになる。また、このような確実な検出を、外部入力端子に接続した外部オーディオ機器からのオーディオ信号の入力インタフェースとして必要となるインタフェース回路に、比較的簡易な構成の接続検出ブロックを付加するだけで実現することができる。
【発明の効果】
【００１１】
以上のように、本発明によれば、オーディオ装置において外部オーディオ機器の接続の有無を、より確実に検出することができる。
【図面の簡単な説明】
【００１２】
【図１】本発明の実施形態に係るオーディオシステムの構成を示すブロック図である。
【図２】本発明の実施形態に係る外部入力インタフェースの構成を示す図である。
【図３】本発明の実施形態において外部オーディオ機器の接続検出に用いる信号の波形を示す図である。
【図４】本発明の実施形態に係る外部入力インタフェースの他の構成例を示す図である。
【発明を実施するための形態】
【００１３】
以下、本発明の実施形態について説明する。
図１ａに、本実施形態に係るオーディオシステムの構成を示す。
図示するように、オーディオシステムは、ラジオ受信器やCDプレイヤやミュージックプレイヤなどのオーディオコンテンツのオーディオ信号を出力する複数のオーディオソース機器１、外部オーディオ機器接続用の端子であるＡＵＸ端子２、ＡＵＸ端子２から入力するオーディオ信号からオーディオシステムの内部処理に適したオーディオ信号を生成し出力する外部入力インタフェース３、オーディオソース機器１や外部入力インタフェース３から出力されるオーディオ信号のうちの一つのオーディオ信号を選択して出力するセレクタ４、セレクタ４から出力されたオーディオ信号に周波数特性の調整やノイズリダクション処理やサラウンド処理などの各種信号処理を施し信号処理を施したオーディオ信号を出力する信号処理部５、信号処理部５が出力するオーディオ信号を増幅して出力するアンプ６、アンプ６から出力されたオーディオ信号で駆動され音声を空間に放射するスピーカ７、入力装置８、表示装置９、以上各部を制御する制御部１０を備えている。
【００１４】
なお、信号処理部５としてはDSPを、制御部１０としてはマイクロコンピュータを用いることができる。
さて、ここで、ＡＵＸ端子２は、ステレオミニプラグ用のジャックであり、図１ｂに示すように、ジャックにステレオミニプラグが挿入されたときに、ステレオミニプラグのチップ１０１と当接し当該チップ１０１から左チャネルのオーディ信号が印加されるＬ接点、ステレオミニプラグのリング１０２と当接し当該リング１０２から右チャネルのオーディオ信号が印加されるＲ接点、ステレオミニプラグのスリーブ１０３と当接し当該スリーブ１０３から、チップ１０１／リング１０２から印加される左／右チャネルのオーディ信号の基準電位となる接地電位信号が印加されるＧ接点を備えている。
【００１５】
そして、このような構成において、制御部１０は、入力装置８に対するユーザの出力切替操作に応じて、セレクタ４で選択して出力するオーディオ信号を切り替えたり、信号処理部５で行う信号処理を設定したり、アンプ６のゲインを調整する処理等を行う。
【００１６】
また、制御部１０は、外部入力インタフェース３を用いて、ＡＵＸ端子２への外部オーディオ機器の接続の有無を判定する処理を行う。
そして、制御部１０は、ＡＵＸ端子２に外部オーディオ機器が接続されていない期間中、セレクタ４が出力するオーディオ信号を外部入力インタフェース３が出力するオーディオ信号に切り替えるユーザの出力切替操作の受け付けを停止して、セレクタ４が出力するオーディオ信号の外部入力インタフェース３が出力するオーディオ信号への切替を禁止する処理を行う。または、制御部１０は、ＡＵＸ端子２に外部オーディオ機器が接続されていない状態で、セレクタ４が出力するオーディオ信号が外部入力インタフェース３が出力するオーディオ信号に設定されている期間中、スピーカ７へのオーディオ信号の出力をミュートする処理を行う。
【００１７】
以下、このようなオーディオシステムにおいて、ＡＵＸ端子２への外部オーディオ機器の接続の有無を検出する構成と動作について説明する。
まず、図２に、外部入力インタフェース３の構成を示す。
図示するように、外部入力インタフェース３は、入力ブロック３１、アイソレータブロック３２、接続検出ブロック３３とを備えている。なお、図中の２００は、ＡＵＸ端子２に外部オーディオ機器が接続されているときの、外部オーディオ機器の等価回路を示している。
【００１８】
さて、入力ブロック３１において、ＡＵＸ端子２のＬ接点にステレオミニプラグから印加された左チャネルオーディオ信号はＡＣカップリング用のコンデンサＣ１１でＤＣ成分が除去された後、アイソレータブロック３２に出力される。また、同様に、入力ブロック３１において、ＡＵＸ端子２のＲ接点にステレオミニプラグから印加された右チャネルオーディオ信号はＡＣカップリング用のコンデンサＣ１３でＤＣ成分が除去された後、アイソレータブロック３２に出力される。
【００１９】
また、入力ブロック３１において、ＡＵＸ端子２のＧ接点は、抵抗Ｒ１１を介してグランドに接続されており、ＡＵＸ端子２のＧ接点にステレオミニプラグから印加された接地電位信号は、ＡＣカップリング用のコンデンサＣ１２でＤＣ成分が除去された後、アイソレータブロック３２に出力される。
【００２０】
ここで、ＡＣカップリング用のコンデンサＣ１１、Ｃ１２、Ｃ１３のキャパシタンスは、たとえば、４.７μＦとする。
また、入力ブロック３１のコンデンサＣ１４、Ｃ１５、Ｃ１６、Ｃ１７は、ノイズ除去等のため設けられている。
次に、アイソレータブロック３２に入力した左チャネルオーディオ信号と接地電位信号は、抵抗Ｒ２１、Ｒ２３、Ｒ２５、Ｒ２７、コンデンサＣ２１、Ｃ２３、オペアンプＵ２１からなる差動増幅回路に入力する。ここで、抵抗Ｒ２１、Ｒ２３の抵抗値は、たとえば、２２ｋΩとし、抵抗Ｒ２５、Ｒ２７の抵抗値は、たとえば、１０ｋΩとする。
【００２１】
さて、左チャネルオーディオ信号は、抵抗Ｒ２１を介してオペアンプＵ２１の＋入力に入力し、接地電位信号は抵抗Ｒ２３を介してオペアンプＵ２１の−入力に入力する。
また、オペアンプＵ２１の＋入力は、抵抗Ｒ２５を介して、４ｖの電源Ｖ１に接続されている。ここで、オペアンプＵ２１の電源は、電源Ｖ２の電圧８ｖである。そして、４ｖの電源Ｖ１に接続した抵抗Ｒ２５を介してオペアンプＵ２１の＋入力には、オペアンプＵ２１に入力する左チャネルオーディオ信号の振幅の中心、したがって、オペアンプＵ２１の出力の振幅の中心がオペアンプＵ２１の電源電圧（出力レンジ）の中央値の４ｖとなるように、４ｖのバイアス電圧が加えられている。
【００２２】
したがって、抵抗Ｒ２１、Ｒ２３、Ｒ２５、Ｒ２７、コンデンサＣ２１、Ｃ２３、オペアンプＵ２１からなる差動増幅回路の出力は、左チャネルオーディオ信号に４ｖを加えた信号の接地電位信号に対する差分を増幅した信号となり、このように差分を増幅することにより、左チャネルオーディオ信号と接地電位信号とに同相に表れるノイズはキャンセルされる。
【００２３】
この差動増幅回路の出力はオペアンプＵ２１の出力であり、オペアンプＵ２１の出力は、ＡＣカップリング用のコンデンサＣ２５を介して、外部入力インタフェース３が出力する左チャネルのオーディオ信号としてセレクタ４に出力される。
【００２４】
なお、このような差分増幅回路のゲインは、抵抗Ｒ２１、Ｒ２３、Ｒ２５、Ｒ２７の抵抗値の関係によって設定される。また、コンデンサＣ２１、２３は、位相補償やノイズ除去等のために設けられている。
【００２５】
同様に、アイソレータブロック３２に入力した右チャネルオーディオ信号と接地電位信号は、抵抗Ｒ２２、Ｒ２４、Ｒ２６、Ｒ２８、コンデンサＣ２２、Ｃ２４、オペアンプＵ２２からなる差動増幅回路に入力する。ここで、抵抗Ｒ２２、Ｒ２４の抵抗値は、たとえば、２２ｋΩとし、抵抗Ｒ２６、Ｒ２８の抵抗値は、たとえば、１０ｋΩとする。
【００２６】
さて、右チャネルオーディオ信号は、抵抗Ｒ２２を介してオペアンプＵ２２の＋入力に入力し、接地電位信号は抵抗Ｒ２４を介してオペアンプＵ２２の−入力に入力する。
また、オペアンプＵ２２の＋入力は、抵抗Ｒ２６を介して、４ｖの電源Ｖ１に接続されている。ここで、オペアンプＵ２２の電源は、電源Ｖ２の電圧８ｖである。そして、４ｖの電源Ｖ１に接続した抵抗Ｒ２６を介してオペアンプＵ２２の＋入力には、オペアンプＵ２２に入力する右チャネルオーディオ信号の振幅の中心、したがって、オペアンプＵ２２の出力の振幅の中心がオペアンプＵ２２の電源電圧（出力レンジ）の中央値の４ｖとなるように、４ｖのバイアス電圧が加えられている。
【００２７】
したがって、抵抗Ｒ２２、Ｒ２４、Ｒ２６、Ｒ２８、コンデンサＣ２２、Ｃ２４、オペアンプＵ２２からなる差動増幅回路の出力は、右チャネルオーディオ信号に４ｖを加えた信号の接地電位信号に対する差分を増幅した信号となり、このように差分を増幅することにより、右チャネルオーディオ信号と接地電位信号とに同相に表れるノイズはキャンセルされる。
【００２８】
この差動増幅回路の出力はオペアンプＵ２２の出力であり、オペアンプＵ２２の出力は、ＡＣカップリング用のコンデンサＣ２６を介して、外部入力インタフェース３が出力する右チャネルのオーディオ信号としてセレクタ４に出力される。
【００２９】
なお、このような差分増幅回路のゲインは、抵抗Ｒ２２、Ｒ２４、Ｒ２６、Ｒ２８の抵抗値の関係によって設定される。また、コンデンサＣ２２、２４は、位相補償やノイズ除去等のために設けられている。
【００３０】
次に、接続検出ブロック３３は、抵抗Ｒ３２、Ｒ３３、トランジスタＱ３１からなるスイッチ回路を備えており、このスイッチ回路は、制御部１０からオン信号が印加されている期間中オン状態となり、図中にＡで示す、抵抗Ｒ２２のオペアンプの＋入力の側のポイントと、グランドとを抵抗Ｒ３１を介して接続する。そして、この接続の結果、ポイントＡの電圧は、おおよそ、電源Ｖ１の電圧４ｖを、抵抗Ｒ２６と抵抗Ｒ３１で分圧した電位となる。ここで、本実施形態では、この分圧した電位は、３.３ｖとなるように、抵抗Ｒ２６と抵抗Ｒ３１の抵抗値を設定している。すなわち、上述のように抵抗Ｒ２６の抵抗値を１０ｋΩとした場合には、抵抗Ｒ３１の抵抗値を４７ｋΩとする。
【００３１】
また、接続検出ブロック３３は、コンパレータＵ３１を備えており、コンパレータＵ３１の＋入力には、４ｖの電源Ｖ１を抵抗Ｒ３５、Ｒ３６で分圧した電位が印加され、−入力には、図中にＢで示す、アイソレータブロック３２の抵抗Ｒ２２と入力ブロック３１のＡＣカップリング用のコンデンサＣ１３の間のポイントの電位が抵抗Ｒ３４を介して印加される。ここで、本実施形態では、コンパレータＵ３１の−入力に印加される電位が、３.４ｖとなるように、抵抗Ｒ３５、Ｒ３６の抵抗値を設定している。すなわち、たとえば、抵抗Ｒ３５の抵抗値を１０ｋΩ、抵抗Ｒ３６の抵抗値を５６ｋΩとする。
【００３２】
また、コンパレータＵ３１の出力は、オープンコレクタ出力であり、コンパレータＵ３１の出力は、抵抗Ｒ３７を介して、電源Ｖ３によって所定のＨ電位にプルアップされている。
【００３３】
そして、コンパレータＵ３１は、＋入力に印加される電位３.４ｖと、抵抗Ｒ３４を介して−入力に印加されるポイントＢの電位を比較し、Ｈ電位にプルアップされているコンパレータＵ３１の出力は、コンパレータＵ３１によって、Ｂのポイントの電位が３.４ｖより大きければコンパレータＵ３１Ｌとされ、Ｂのポイントの電位が３.４ｖより大きくなければＨとされる。
【００３４】
さて、制御部１０は、外部入力インタフェース３から出力されるオーディオ信号をスピーカ７に出力していない期間中(セレクタ４によって外部入力インタフェース３から出力されるオーディオ信号を選択していない期間中や、スピーカ７の出力をミュートしている期間中）に、以上のような外部入力インタフェース３を用いて、ＡＵＸ端子２への外部オーディオ機器の接続の有無を検出する検出処理を定期的に行う。
【００３５】
ここで、この処理において、制御部１０は、短期間（たとえば、１０ｍｓ）、接続検出ブロック３３の抵抗Ｒ３２、Ｒ３３、トランジスタＱ３１からなるスイッチ回路にオン信号を印加する。そして、接続検出ブロック３３のコンパレータＵ３１の出力を調べ、コンパレータＵ３１の出力がＨである場合には、ＡＵＸ端子２に外部オーディオ機器が接続されていないと判定し、コンパレータＵ３１の出力がＬである場合には、ＡＵＸ端子２に外部オーディオ機器が接続されていると判定する。
【００３６】
ここで、図３ａに、ＡＵＸ端子２に外部オーディオ機器が接続されていない状態にあるときの、ポイントＡ、ポイントＢ、コンパレータＵ３１の出力Ｘの電圧波形を示す。なお、ＡＵＸ端子２に外部オーディオ機器が接続されていない状態とは、外部オーディオ機器に接続されていないケーブルのステレオミニプラグがＡＵＸ端子２に挿入されている状態も含む。
【００３７】
図示するように、この場合、接続検出ブロック３３の抵抗Ｒ３２、Ｒ３３、トランジスタＱ３１からなるスイッチ回路に期間ｐオン信号を印加すると、ポイントＡの電位は、電源Ｖ１の電圧４ｖを、抵抗Ｒ２６と抵抗Ｒ３１で分圧した電位３.３ｖに変化する。また、ＡＵＸ端子２に外部オーディオ機器が接続されていない場合、ポイントＢにＡＣカップリング用コンデンサＣ１３を介して接続しているＲ接点は電気的にオープンとなるため、ポイントＢの電位も、ポイントＡの電位に即座に追従して電位３.３ｖに変化する。
【００３８】
そして、この場合、コンパレータＵ３１の出力Ｘは、ポイントＢの電位が３.４ｖより大きくないのでＨとなる。
次に、図３ｂに、ＡＵＸ端子２に外部オーディオ機器が接続されている状態にあるときの、ポイントＡ、ポイントＢ、コンパレータＵ３１の出力Ｘの電圧波形を示す。
図示するように、この場合、接続検出ブロック３３の抵抗Ｒ３２、Ｒ３３、トランジスタＱ３１からなるスイッチ回路に期間ｐオン信号を印加すると、ポイントＡの電位は、電源Ｖ１の電圧４ｖを、抵抗Ｒ２６と抵抗Ｒ３１で分圧した電位３.３ｖに変化する。
【００３９】
一方、ＡＵＸ端子２に外部オーディオ機器が接続されている場合、ポイントＢにＡＣカップリング用のコンデンサＣ１３を介して接続しているＲ接点に、外部オーディオ機器の等価回路２００が接続されて、ＡＣカップリング用のコンデンサＣ１３を含む閉回路が形成され、コンデンサＣ１３が蓄電されるので、オン信号の印加時には、コンデンサＣ１３が蓄電されている状態にある。そして、コンデンサＣ１３は、ＡＣカップリング用のコンデンサであるので、そのキャパシタンスは比較的大きい。したがって、オン信号が印加され、ポイントＡの電位が電位３.３ｖに変化した後、コンデンサＣ１３の放電が開始されて当該放電の進捗に伴って、ポイントＢの電位が変化することとなり、この結果、ポイントＢの電位は、ポイントＡの電位に近づく方向へ少しずつ時間をかけて変化する。
【００４０】
そして、本実施形態では、期間ｐの時間長を、期間ｐ中、ポイントＢの電位が３.４ｖを下回らないように設定している。
したがって、期間ｐ中、ポイントＢの電位が３.４ｖより大きいままとなり、コンパレータＵ３１の出力ＸはＬを維持する。
以上、本発明の実施形態について説明した。
以上のように、本実施形態によれば、ＡＵＸ端子２に外部オーディオ機器が電気的に接続されていることを直接検出することができるので、ＡＵＸ端子２にステレオミニプラグが物理的に挿入されているかどうかからＡＵＸ端子２への外部オーディオ機器の有無を検出する場合に比べ、ＡＵＸ端子２への外部オーディオ機器の有無を、より確実に検出することができるようになる。
【００４１】
また、このような確実な検出を、ＡＵＸ端子２に接続した外部オーディオ機器からのオーディオ信号の入力インタフェースとして必要となる入力ブロック３１やアイソレータブロック３２に、比較的簡易な回路構成を有する接続検出ブロック３３を付加するだけで実現することができる。
【００４２】
ところで、以上の実施形態では、Ｒ接点側（右チャネルオーディオ信号側）に接続検出ブロック３３を設けたが、これは、Ｌ接点側（左チャネルオーディオ信号側）に、接続検出ブロック３３を設けるようにしてもよい。
また、以上の実施形態では、Ｒ接点側（右チャネルオーディオ信号側）にのみ、接続検出ブロック３３を設けたが、図４に示すように、Ｌ接点側（左チャネルオーディオ信号側）にも、接続検出ブロック３３を設けるようにしてもよい。
【００４３】
このように、Ｒ接点側とＬ接点側の両方に接続検出ブロック３３を設けることにより、ステレオミニプラグのＡＵＸ端子２への不完全な挿入、すなわち、ステレオミニプラグのチップ１０１とＡＵＸ端子２のＬ接点が当接しているが、ステレオミニプラグのリング１０２とＡＵＸ端子２のＲ接点が当接していない形態での挿入や、ステレオミニプラグのリング１０２とＡＵＸ端子２のＲ接点が当接しているが、ステレオミニプラグのチップ１０１とＡＵＸ端子２のＬ接点が当接していない形態での挿入なども検出できるようになる。
【００４４】
また、以上の実施形態では、ＡＵＸ端子２がステレオミニプラグ用のジャックである場合について示したが、本実施形態は、ＡＵＸ端子２がステレオ標準プラグ等の他のプラグ用のジャックである場合や、ＡＵＸ端子２が任意のオーディオ信号伝送用のコネクタのレセクタプルである場合にも同様に適用することができる。
【符号の説明】
【００４５】
１…オーディオソース機器、２…ＡＵＸ端子、３…外部入力インタフェース、４…セレクタ、５…信号処理部、６…アンプ、７…スピーカ、８…入力装置、９…表示装置、１０…制御部、３１…入力ブロック、３２…アイソレータブロック、３３…接続検出ブロック、１０１…チップ、１０２…リング、１０３…スリーブ。
【図１】
2019134222.tif 000003
【図２】
2019134222.tif 000004
【図３】
2019134222.tif 000005
【図４】
2019134222.tif 000006